(57)【特許請求の範囲】
【請求項１】
半永続スケジューリング（ＳＰＳ）リソース解放に肯定応答するための方法であって、該方法は、
物理的ダウンリンク制御チャネルを介して、ダウンリンク制御情報（ＤＣＩ）フォーマット１Ａにおいて、ＳＰＳリソース解放信号を受信することを含み、該信号は、インジケータを含み、該インジケータは、該信号が、アップリンクリソース解放およびダウンリンクリソース解放のうちの少なくとも１つに関することを示し、
該インジケータは、該信号内のデータフィールドに含まれており、
該データフィールドは、局所型／分散型割当フラグフィールドおよび「ＰＵＣＣＨのためのＴＰＣコマンド」フィールドのうちの少なくとも１つである、方法。
【請求項２】
肯定応答を送信して、前記信号の受信を確認することをさらに含む、請求項１に記載の方法。
【請求項３】
前記データフィールドが、前記局所型／分散型割当フラグフィールドであるとき、前記ダウンリンクリソース解放を示すために前記インジケータが「０」に設定され、前記アップリンクリソース解放を示すために該インジケータが「１」に設定される、請求項１に記載の方法。
【請求項４】
前記データフィールドが、前記局所型／分散型割当フラグフィールドであるとき、前記ダウンリンクリソース解放を示すために前記インジケータが「１」に設定され、前記アップリンクリソース解放を示すために該インジケータが「０」に設定される、請求項１に記載の方法。
【請求項５】
前記データフィールドが、前記ＰＵＣＣＨのためのＴＰＣコマンドフィールドであるとき、ダウンリンクリソース解放を示すために前記インジケータが「００」に設定され、前記アップリンクリソース解放を示すために該インジケータが「１１」に設定される、請求項１に記載の方法。
【請求項６】
前記データフィールドが、前記ＰＵＣＣＨのためのＴＰＣコマンドフィールドであるとき、前記ダウンリンクリソース解放を示すために前記インジケータが「１１」に設定され、前記アップリンクリソース解放を示すために該インジケータは「００」に設定される、請求項１に記載の方法。
【請求項７】
前記データフィールドが、前記ＰＵＣＣＨのためのＴＰＣコマンドフィールドであるとき、前記インジケータは、前記ダウンリンクリソース解放および前記アップリンクリソース解放の両方を示す、請求項１に記載の方法。
【請求項８】
ユーザ機器（ＵＥ）であって、該ＵＥは、
物理的ダウンリンク制御チャネルを介して、ダウンリンク制御情報（ＤＣＩ）フォーマット１Ａにおいて、ＳＰＳリソース解放信号を受信するように構成されたプロセッサを備え、該信号は、インジケータを含み、該インジケータは、該信号が、アップリンクリソース解放およびダウンリンクリソース解放のうちの少なくとも１つに関することを示し、
該インジケータは、該信号内のデータフィールドに含まれており、
該データフィールドは、局所型／分散型割当フラグフィールドおよび「ＰＵＣＣＨのためのＴＰＣコマンド」フィールドのうちの少なくとも１つである、ＵＥ。
【請求項９】
前記データフィールドが、前記局所型／分散型割当フラグフィールドであるとき、前記ダウンリンクリソース解放を示すために前記インジケータが「０」に設定され、前記アップリンクリソース解放を示すために該インジケータが「１」に設定される、請求項８に記載のＵＥ。
【請求項１０】
前記データフィールドが、前記局所型／分散型割当フラグフィールドであるとき、前記ダウンリンクリソース解放を示すために前記インジケータが「１」に設定され、前記アップリンクリソース解放を示すために該インジケータが「０」に設定される、請求項８に記載のＵＥ。
【請求項１１】
前記データフィールドが、前記ＰＵＣＣＨのためのＴＰＣコマンドフィールドであるとき、前記ダウンリンクリソース解放を示すために前記インジケータが「００」に設定され、前記アップリンクリソース解放を示すために該インジケータが「１１」に設定される、請求項８に記載のＵＥ。
【請求項１２】
前記データフィールドが、前記ＰＵＣＣＨのためのＴＰＣコマンドフィールドであるとき、前記ダウンリンクリソース解放を示すために前記インジケータが「１１」に設定され、前記アップリンクリソース解放を示すために該インジケータは「００」に設定される、請求項８に記載のＵＥ。
【請求項１３】
前記データフィールドが、前記ＰＵＣＣＨのためのＴＰＣコマンドフィールドであるとき、前記インジケータは、前記ダウンリンクリソース解放および前記アップリンクリソース解放の両方を示す、請求項８に記載のＵＥ。
【請求項１４】
前記プロセッサは、前記信号の受信を確認する肯定応答を送信するようにさらに構成されている、請求項８に記載のＵＥ。
【請求項１５】
アクセスデバイスであって、該アクセスデバイスは、
物理的ダウンリンク制御チャネルを介して、ダウンリンク制御情報（ＤＣＩ）フォーマット１Ａにおいて、アップリンクＳＰＳリソース解放メッセージを伝送するように構成されたプロセッサを含み、
該メッセージは、インジケータを含み、該インジケータは、該メッセージが、アップリンクリソース解放に関することを示し、
該インジケータは、該リソース解放メッセージ内のデータフィールドに含まれており、
該データフィールドは、局所型／分散型割当フラグフィールドおよび「ＰＵＣＣＨのためのＴＰＣコマンド」フィールドのうちの少なくとも１つである、アクセスデバイス。
【請求項１６】
前記プロセッサは、前記リソース解放メッセージの受信を確認する肯定応答を受信するようにさらに構成されている、請求項１５に記載のアクセスデバイス。
【請求項１７】
前記データフィールドが、前記局所型／分散型割当フラグフィールドであるとき、ダウンリンクリソース解放を示すために前記インジケータが「０」に設定され、前記アップリンクリソース解放を示すために該インジケータが「１」に設定される、請求項１５に記載のアクセスデバイス。
【請求項１８】
前記データフィールドが、前記局所型／分散型割当フラグフィールドであるとき、ダウンリンクリソース解放を示すために前記インジケータが「１」に設定され、前記アップリンクリソース解放を示すために該インジケータが「０」に設定される、請求項１５に記載のアクセスデバイス。
【請求項１９】
前記データフィールドが、前記ＰＵＣＣＨのためのＴＰＣコマンドフィールドであるとき、ダウンリンクリソース解放を示すために前記インジケータが「００」に設定され、前記アップリンクリソース解放を示すために該インジケータが「１１」に設定される、請求項１５に記載のアクセスデバイス。
【請求項２０】
前記データフィールドが、前記ＰＵＣＣＨのためのＴＰＣコマンドフィールドであるとき、ダウンリンクリソース解放を示すために前記インジケータが「１１」に設定され、前記アップリンクリソース解放を示すために該インジケータは「００」に設定される、請求項１５に記載のアクセスデバイス。
【請求項２１】
前記データフィールドが、前記ＰＵＣＣＨのためのＴＰＣコマンドフィールドであるとき、前記インジケータは、ダウンリンクリソース解放および前記アップリンクリソース解放の両方を示す、請求項１５に記載のアクセスデバイス。
【発明の詳細な説明】
【技術分野】
【０００１】
関連出願の相互参照
本願は、２００９年２月２日出願の米国仮特許出願第６１／１４９，０６０号のＺｈｉｊｕｎ  Ｃａｉ他による、発明の名称「Ｉｎｄｉｃａｔｉｏｎ  ｏｆ  Ｕｐｌｉｎｋ  Ｓｅｍｉ−Ｐｅｒｓｉｓｔｅｎｔ  Ｓｃｈｅｄｕｌｉｎｇ  Ｅｘｐｌｉｃｉｔ  Ｒｅｌｅａｓｅ  Ｕｓｉｎｇ  ａ  Ｄｏｗｎｌｉｎｋ  Ｐｈｙｓｉｃａｌ  Ｄｏｗｎｌｉｎｋ  Ｃｏｎｔｒｏｌ  Ｃｈａｎｎｅｌ」（３４８７０−ＵＳ−ＰＲＶ−４２１４−１５２００）からの優先権を主張し、この米国仮特許出願は、本明細書において、参照によりその全体が再現されるかのように援用される。
【背景技術】
【０００２】
本明細書で使用される場合、用語「ユーザ機器」および「ＵＥ」は、電気通信能力を有する、携帯電話、携帯情報端末、携帯式またはラップトップコンピュータ、および類似デバイス等の無線デバイスを指すことが可能である。そのようなＵＥは、無線デバイスと、加入者識別モジュール（ＳＩＭ）アプリケーション、ユニバーサル加入者識別モジュール（ＵＳＩＭ）アプリケーション、またはリムーバブルユーザ識別モジュール（Ｒ−ＵＩＭ）アプリケーションを含む、その関連するユニバーサル集積回路カード（ＵＩＣＣ）と、から成る、またはそのようなカードを伴わないデバイス自体から成る場合がある。また、ＵＥは、類似無線能力を有するが、デスクトップコンピュータ、セットトップボックス、またはネットワークノード等、移動可能ではないデバイスであってもよい。ＵＥが、ネットワークノードであるとき、ネットワークノードは、無線デバイス等の別の機能に代わって作用し、無線デバイスをシミュレートまたはエミュレートし得る。例えば、いくつかの無線デバイスの場合、典型的には、デバイス上に常駐するであろう、ＩＰ（インターネットプロトコル）マルチメディアサブシステム（ＩＭＳ）セッション開始プロトコル（ＳＩＰ）クライアントは、実際は、ネットワーク内に常駐し、最適化プロトコルを使用して、ＳＩＰメッセージ情報をデバイスに中継する。換言すれば、従来は無線デバイスによって実行されていたいくつかの機能は、遠隔ＵＥの形態で分散可能であって、遠隔ＵＥは、ネットワーク内の無線デバイスを表す。また、用語「ＵＥ」は、ＳＩＰセッションを終了することが可能な、任意のハードウェアまたはソフトウェア構成要素を指し得る。
【０００３】
従来の無線電気通信システムでは、基地局内の伝送機器は、セルとして知られる、地理的領域を通して、信号を伝送する。電気通信技術の進化に伴って、より高度なネットワークアクセス機器が導入され、以前には不可能性であったサービスが提供可能となっている。本高度ネットワークアクセスデバイスは、例えば、従来の無線電気通信システム内の同等機器より高度に進化した、基地局または他のシステムおよびデバイスではなく、拡張ノードＢ（ｅＮＢ）を含む場合がある。そのような高度または次世代機器は、本明細書では、ロングタームエボリューション（ＬＴＥ）装置と称され、そのような機器を使用する、パケットベースのネットワークは、進化型パケットシステム（ＥＰＳ）と称され得る。本明細書で使用されるように、用語「アクセスデバイス」は、ＵＥに、電気通信システム内の他の構成要素へのアクセスを提供可能な、従来の基地局、ＬＴＥ  ｅＮＢ、または任意の他のシステムデバイス等、任意の構成要素を指す。
【０００４】
パケットデータの場合、ＵＥとアクセスデバイスとの間でデータを搬送する信号は、周波数、時間、およびコーディングパラメータ、ならびにアクセスデバイスによって指定され得る他の特徴の特有集合を有することが可能である。そのような特徴の特有集合を有する、ＵＥとアクセスデバイスとの間の接続は、リソースと称されることが可能である。アクセスデバイスは、典型的には、それと任意の特定の時間で通信する、各ＵＡのための異なるリソースを確立する。
【発明の概要】
【課題を解決するための手段】
【０００５】
本開示をより完全に理解するために、添付の図面および発明を実施するための形態と併せて理解される、以下の簡単な説明を参照する（類似参照数字は、類似部品を表す）。
例えば、本発明は以下の項目を提供する。
（項目１）
半永続スケジューリング（ＳＰＳ）リソース解放に肯定応答するための方法であって、
物理的ダウンリンク制御チャネルを介して、ダウンリンク制御情報（ＤＣＩ）フォーマット１Ａにおいて、ＳＰＳリソース解放信号を受信することを含み、該信号は、該信号が、アップリンクリソース解放およびダウンリンクリソース解放のうちの少なくとも１つに関することを示す、インジケータを含む、方法。
（項目２）
肯定応答を送信して、上記信号の受信を確認することをさらに含む、項目１に記載の方法。
（項目３）
上記インジケータは、上記信号内のデータフィールドに含まれる、項目１に記載の方法。
（項目４）
上記データフィールドは、
局所型／分散型割当フラグフィールドと、
ＰＵＣＣＨフィールドのためのＴＰＣコマンドと
のうちの少なくとも１つである、項目３に記載の方法。
（項目５）
上記データフィールドが、上記局所型／分散型割当フラグフィールドであるとき、上記ダウンリンクリソース解放を示すために上記インジケータが「０」に設定され、上記アップリンクリソース解放を示すために該インジケータが「１」に設定される、項目４に記載の方法。
（項目６）
上記データフィールドが、上記局所型／分散型割当フラグフィールドであるとき、上記ダウンリンクリソース解放を示すために上記インジケータが「１」に設定され、上記アップリンクリソース解放を示すために該インジケータが「０」に設定される、項目４に記載の方法。
（項目７）
上記データフィールドが、上記ＰＵＣＣＨフィールドのためのＴＰＣコマンドであるとき、上記ダウンリンクリソース解放を示すために上記インジケータが「００」に設定され、上記アップリンクリソース解放を示すために該インジケータが「１１」に設定される、項目４に記載の方法。
（項目８）
上記データフィールドが、上記ＰＵＣＣＨフィールドのためのＴＰＣコマンドであるとき、上記ダウンリンクリソース解放を示すために上記インジケータが「１１」に設定され、上記アップリンクリソース解放を示すために該インジケータは「００」に設定される、項目４に記載の方法。
（項目９）
上記データフィールドが、上記ＰＵＣＣＨフィールドのためのＴＰＣコマンドであるとき、上記インジケータは、ダウンリンクリソース解放およびアップリンクリソース解放の両方を示す、項目４に記載の方法。
（項目１０）
ユーザ機器（ＵＥ）であって、
物理的ダウンリンク制御チャネルを介して、ダウンリンク制御情報（ＤＣＩ）フォーマット１ＡにおいてＳＰＳリソース解放信号を受信するように構成されたプロセッサを備え、該信号は、該信号が、アップリンクリソース解放およびダウンリンクリソース解放のうちの少なくとも１つに関することを示すインジケータを含む、ＵＥ。
（項目１１）
上記インジケータは、信号内のデータフィールドに含まれる、項目１０に記載のＵＥ。
（項目１２）
上記データフィールドは、
局所型／分散型割当フラグフィールドと、
ＰＵＣＣＨフィールドのためのＴＰＣコマンドと
のうちの少なくとも１つである、項目１１に記載のＵＥ。
（項目１３）
上記データフィールドが、上記局所型／分散型割当フラグフィールドであるとき、上記ダウンリンクリソース解放を示すために上記インジケータが「０」に設定され、上記アップリンクリソース解放を示すために該インジケータが「１」に設定される、項目１２に記載のＵＥ。
（項目１４）
上記データフィールドが、上記局所型／分散型割当フラグフィールドであるとき、上記ダウンリンクリソース解放を示すために上記インジケータが「１」に設定され、上記アップリンクリソース解放を示すために該インジケータが「０」に設定される、項目１２に記載のＵＥ。
（項目１５）
上記データフィールドが、上記ＰＵＣＣＨフィールドのためのＴＰＣコマンドであるとき、上記ダウンリンクリソース解放を示すために上記インジケータが「００」に設定され、上記アップリンクリソース解放を示すために該インジケータが「１１」に設定される、項目１２に記載のＵＥ。
（項目１６）
上記データフィールドが、上記ＰＵＣＣＨフィールドのためのＴＰＣコマンドであるとき、上記ダウンリンクリソース解放を示すために上記インジケータが「１１」に設定され、上記アップリンクリソース解放を示すために該インジケータは「００」に設定される、項目１２に記載のＵＥ。
（項目１７）
上記データフィールドが、上記ＰＵＣＣＨフィールドのためのＴＰＣコマンドであるとき、上記インジケータは、ダウンリンクリソース解放およびアップリンクリソース解放の両方を示す、項目１２に記載のＵＥ。
（項目１８）
上記プロセッサは、上記信号の受信を確認する肯定応答を送信するようにさらに構成される、項目１０に記載のＵＥ。
（項目１９）
アクセスデバイスであって、
物理的ダウンリンク制御チャネルを介して、ダウンリンク制御情報（ＤＣＩ）フォーマット１Ａにおいて、アップリンクＳＰＳリソース解放メッセージを伝送するように構成されるプロセッサを含む、デバイス。
（項目２０）
上記メッセージは、該メッセージが、アップリンクリソース解放に関することを示すインジケータを含む、項目１９に記載のアクセスデバイス。
（項目２１）
上記プロセッサは、上記リソース解放メッセージの受信を確認する肯定応答を受信するようにさらに構成される、項目１９に記載のアクセスデバイス。
（項目２２）
上記インジケータは、上記リソース解放メッセージ内のデータフィールドに含まれる、項目２０に記載のアクセスデバイス。
（項目２３）
上記データフィールドは、
局所型／分散型割当フラグフィールドと、
ＰＵＣＣＨフィールドのためのＴＰＣコマンドと
のうちの少なくとも１つである、項目２２に記載のアクセスデバイス。
（項目２４）
上記データフィールドが、上記局所型／分散型割当フラグフィールドであるとき、上記ダウンリンクリソース解放を示すために上記インジケータが「０」に設定され、上記アップリンクリソース解放を示すために該インジケータが「１」に設定される、項目２３に記載のアクセスデバイス。
（項目２５）
上記データフィールドが、上記局所型／分散型割当フラグフィールドであるとき、上記ダウンリンクリソース解放を示すために上記インジケータが「１」に設定され、上記アップリンクリソース解放を示すために該インジケータが「０」に設定される、項目２３に記載のアクセスデバイス。
（項目２６）
上記データフィールドが、上記ＰＵＣＣＨフィールドのためのＴＰＣコマンドであるとき、上記ダウンリンクリソース解放を示すために上記インジケータが「００」に設定され、上記アップリンクリソース解放を示すために該インジケータが「１１」に設定される、項目２３に記載のアクセスデバイス。
（項目２７）
上記データフィールドが、上記ＰＵＣＣＨフィールドのためのＴＰＣコマンドであるとき、上記ダウンリンクリソース解放を示すために上記インジケータが「１１」に設定され、上記アップリンクリソース解放を示すために該インジケータは「００」に設定される、項目２３に記載のアクセスデバイス。
（項目２８）
上記データフィールドが、上記ＰＵＣＣＨフィールドのためのＴＰＣコマンドであるとき、上記インジケータは、ダウンリンクリソース解放およびアップリンクリソース解放の両方を示す、項目２３に記載のアクセスデバイス。
【０００６】
最初に、本開示の１つ以上の実施形態の例示的な実装例を以下に提供するが、開示されるシステムおよび／または方法は、現在公知であるか、存在しているかに関わらず、任意の数の技術を使用して実装されてもよいことを理解されたい。本開示は、本明細書に示され、説明される例示的な設計および実装例を含む、以下に示される例示的な実装例、図面、および技術に限定されるべきではなく、同等物の十分な範囲とともに、添付の特許請求の範囲の範囲内で修正されてもよい。
【０００７】
アップリンク半永続スケジューリング（ＳＰＳ）として知られるプロシージャでは、ＵＥは、アクセスデバイスに、ＵＥがアクセスデバイスへの送信を所望する、データパケットの特性を指定する、単一スケジューリング要求および／またはバッファ状態報告を送信する。次いで、アクセスデバイスは、ＵＥに、ＵＥのデータパケットをアクセスデバイスに伝送するための適切な特性を伴う、アップリンクリソースを付与する。単一要求に基づいて、その後、アクセスデバイスは、データパケットの後続の周期的伝達のために、実質的に同一リソースを周期的に付与する。類似プロシージャが、ダウンリンク上で使用される場合がある。
【０００８】
ＵＥおよびアクセスデバイスが、ＳＰＳを使用して通信時、アクセスデバイスは、周期的に配分されたアップリンクＳＰＳリソース上でのアクセスデバイスへのデータの送信を停止するように命令する場合があり、リソースが解放される。そのような命令は、アップリンクＳＰＳリソース解放メッセージまたはアップリンクＳＰＳリソース解放信号と称され得る。また、アクセスデバイスは、アクセスデバイスが、ダウンリンクＳＰＳリソースをＵＥに周期的にもう配分しないことを、ＵＥに通知する場合がある。そのような通知は、ダウンリンクＳＰＳリソース解放メッセージまたはダウンリンクＳＰＳリソース解放信号と称され得る。
【０００９】
アクセスデバイスは、物理的ダウンリンク制御チャネル（ＰＤＣＣＨ）を介して、ＵＥアップリンクおよびダウンリンクＳＰＳリソース解放信号を送信可能である。信号は、ダウンリンク制御情報（ＤＣＩ）フォーマットを使用可能である。ＤＣＩフォーマット０は、従来、アップリンクＳＰＳリソース解放メッセージのために使用され、ＤＣＩフォーマット１Ａは、従来、ダウンリンクＳＰＳリソース解放メッセージのために使用される。すなわち、ＵＥが、ＤＣＩフォーマット０として、解放信号を受信すると、ＵＥは、解放信号が、アップリンクＳＰＳリソース解放に関することを把握し、ＵＥが、ＤＣＩフォーマット１Ａとして、解放信号を受信すると、ＵＥは、解放信号が、ダウンリンクＳＰＳリソース解放に関することを把握する。
【００１０】
ＤＣＩフォーマット１ＡダウンリンクＳＰＳリソース解放信号受信後、ＵＥは、受信したＤＣＩフォーマット１Ａメッセージから派生した所定のアップリンクリソースを使用して、ハイブリッド自動反復要求肯定応答（ＨＡＲＱ−ＡＣＫ）をアクセスデバイスに返送することによって、ダウンリンクリソースの解放を確認可能である。しかしながら、ＤＣＩフォーマット０は、ＤＣＩフォーマット０アップリンクＳＰＳリソース解放信号受信後、ＵＥが、肯定応答（ＡＣＫ）をアクセスデバイスに返送可能なそのような機構を含まない。すなわち、ＵＥは、アップリンクを判定し、ＨＡＲＱ  ＡＣＫをアクセスデバイスに伝送することは不可能である。したがって、アクセスデバイスは、ＵＥが、アップリンクＳＰＳリソース解放信号を受信したかどうかを認知することはできない。
【００１１】
本明細書に開示されるのは、ＵＥに、アップリンクＳＰＳリソース解放信号を肯定応答するための能力を提供する、システムおよび方法である。ある実施形態では、アクセスデバイスは、ＰＤＣＣＨを介して、ＤＣＩフォーマット０の代わりに、ＤＣＩフォーマット１Ａを使用して、ＳＰＳアップリンクリソース解放を伝送する。すなわち、ＤＣＩフォーマット１Ａが、ダウンリンクＳＰＳリソース解放信号のために排他的に使用される代わりに、ＤＣＩフォーマット１Ａもまた、アップリンクＳＰＳリソース解放信号のために使用される。次いで、ＵＥは、ＤＣＩフォーマット１Ａに基づいて、ダウンリンクＳＰＳリソース解放信号に肯定応答するために利用可能な既存のＨＡＲＱ  ＡＣＫ機構を使用して、アップリンクＳＰＳリソース解放信号を肯定応答可能となる。
【００１２】
ＤＣＩフォーマット１Ａは、これらの実施形態では、アップリンクＳＰＳリソース解放信号およびダウンリンクＳＰＳリソース解放信号の両方のために使用されるため、アクセスデバイスからＵＥへのリソース解放信号は、リソース解放信号が、アップリンク解放、またはダウンリンク解放、あるいは両方に関するかどうかを示す必要がある。ある実施形態では、インジケータが、ＤＣＩフォーマット１Ａ信号内の使用されていないデータフィールドに置かれ、信号が、アップリンクＳＰＳリソース解放信号、またはダウンリンクＳＰＳリソース解放信号、あるいは両方であるかどうかを示すことが可能である。
【００１３】
アクセスデバイスが、ＳＰＳリソース解放メッセージをＵＥに送信すると、他の種類のメッセージにおいて使用される、いくつかのデータフィールドは、使用されない場合がある。例えば、リソース割当情報ならびに変調および符号化情報は、アクセスデバイスがＵＥに送信するメッセージの多くに含まれる場合があり、メッセージ内の指定フィールドが、本情報のために留保されてもよい。そのような情報は、解放メッセージにおいて必要とされない場合があり、そのような情報のためのフィールドは、従来、ＤＣＩフォーマット１Ａ解放メッセージ内に使用されないまま残されてもよい。ある実施形態では、これらの使用されないフィールドは、ＤＣＩフォーマット１Ａ解放メッセージが、アップリンク解放、またはダウンリンク解放、あるいは両方に関するかどうかのインジケータを含むために使用可能である。
【００１４】
より具体的には、ＤＣＩフォーマット１Ａ解放メッセージの「局所型／分散型割当フラグ」フィールドおよび／または「ＰＵＣＣＨのためのＴＰＣコマンド」フィールドは、メッセージが、アップリンクＳＰＳリソース解放メッセージまたはダウンリンクＳＰＳリソース解放メッセージであるかどうかを示す、インジケータを含み得る。ある実施形態では、「局所型／分散型割当フラグ」フィールドが使用されるとき、フィールド内の値「０」は、ダウンリンクＳＰＳリソース解放を示し、フィールド内の値「１」は、アップリンクＳＰＳリソース解放を示し得る。代替として、他の値も、これらの指標のために使用され得る。例えば、フィールド内の値「１」は、ダウンリンクＳＰＳリソース解放を示し、フィールド内の値「０」は、アップリンクＳＰＳリソース解放を示し得る。ある実施形態では、「ＰＵＣＣＨのためのＴＰＣコマンド」フィールドが使用されるとき、フィールド内の値「００」は、ダウンリンクＳＰＳリソース解放を示し、フィールド内の値「１１」は、アップリンクＳＰＳリソース解放を示し得る。代替として、他の値も、これらの指標のために使用され得る。別の実施形態では、指定値が、アップリンクＳＰＳリソースおよびダウンリンクＳＰＳリソースの両方を解放することを示すために使用され得る。例えば、「ＰＵＣＣＨのためのＴＰＣコマンド」フィールドのための値「０１」は、アップリンクＳＰＳリソースおよびダウンリンクＳＰＳリソースの両方を解放することを示すために使用され得る。
【図面の簡単な説明】
【００１５】
【図１】図１は、本開示のある実施形態による、電気通信システムの実施形態の図である。
【図２】図２は、本開示のある実施形態による、半永続スケジューリングリソース解放に肯定応答するための方法の工程図である。
【図３】図３は、本開示の実施形態に関連する表を含有する。
【図４】図４は、本開示のいくつかの実施形態を実装するための好適なプロセッサおよび関連する構成要素を例証する。
【発明を実施するための形態】
【００１６】
図１は、例えば、第３世代パートナーシッププロジェクト（３ＧＰＰ）に説明されるような、無線通信システム１００の実施形態を例証する。図１は、例示であって、他の実施形態では、他の構成要素または配列を有してもよい。無線通信システム１００は、少なくとも１つのＵＥ１１０と、少なくとも１つのアクセスデバイス１２０と、を備えてもよい。ＵＥ１１０は、無線リンクを経由して、ネットワークアクセスデバイス１２０と無線通信してもよい。無線リンクは、ＬＴＥ、ＧＳＭ、ＧＰＲＳ／ＥＤＧＥ、高速パケットアクセス（ＨＳＰＡ）、およびユニバーサルモバイルテレコミュニケーションシステム（ＵＭＴＳ）を含む、３ＧＰＰに記載のもの等、複数の電気通信規格または指針のいずれかに準拠してもよい。加えて、または代替として、無線リンクは、暫定規格９５（ＩＳ−９５）、符号分割多重アクセス（ＣＤＭＡ）２０００規格１ｘＲＴＴまたは１ｘＥＶ−ＤＯを含む、３ＧＰＰ２に記載の複数の規格のいずれかに準拠してもよい。また、無線リンクは、電気電子技術者協会（ＩＥＥＥ）またはＷｉＭａｘフォーラム等の業界フォーラムによって説明されるもの等、他の規格に準拠してもよい。
【００１７】
アクセスデバイス１２０は、ｅＮＢ、基地局、またはＵＥ１１０のためのネットワークアクセスを促進する他の構成要素であってもよい。アクセスデバイス１２０は、直接リンクを経由して、ＵＥ１１０と直接通信してもよい。例えば、直接リンクは、アクセスデバイス１２０とＵＥ１１０との間に確立される、２地点間リンクであって、２地点間で信号を伝送および受信するために使用されてもよい。加えて、アクセスデバイス１２０はまた、他の構成要素またはデバイスと通信し、無線通信システム１００の構成要素に、他のネットワークへのアクセスを提供してもよい。
【００１８】
ＵＥ１１０およびアクセスデバイス１２０は、少なくとも１つのダウンリンク（ＤＬ）チャネル、少なくとも１つのアップリンク（ＵＬ）チャネル、または両方を経由して、無線通信してもよい。ダウンリンクおよびアップリンクチャネルは、静的、半静的、半永続的、または動的に配分されたネットワークリソースであり得る、物理的チャネルであってもよい。例えば、ダウンリンクおよびアップリンクチャネルは、少なくとも１つの物理的ダウンリンク共有チャネル（ＰＤＳＣＨ）、少なくとも１つの物理的ダウンリンク制御チャネル（ＰＤＣＣＨ）、少なくとも１つのアップリンク共有チャネル（ＰＵＳＣＨ）、少なくとも１つのアップリンク制御チャネル（ＰＵＣＣＨ）、またはそれらの組み合わせを備えてもよい。ダウンリンクおよびアップリンクチャネルは、周波数分割複信（ＦＤＤ）を使用して確立され、信号は、異なる周波数で受信および伝送されてもよい。加えて、または代替として、ダウンリンクおよびアップリンクチャネルは、時間分割を使用して確立され、信号は、異なる伝送時間間隔（ＴＴＩ）で、伝送、受信、または両方が行われてもよい。
【００１９】
ある実施形態では、ＵＥ１１０は、ＰＤＣＣＨ１４０を介して、アップリンクのためのＤＣＩフォーマット１Ａとして、アクセスデバイス１２０から、ＳＰＳリソース解放メッセージ１３０を受信してもよい。メッセージ１３０は、メッセージ１３０が、アップリンクリソース解放に関することを示す、インジケータ１５０を含んでもよい。次いで、ＵＥ１１０は、肯定応答１６０をアクセスデバイス１２０に伝送することによって、アップリンクリソース解放メッセージ１３０を受信することに肯定応答してもよい。肯定応答１６０は、従来、ＤＣＩフォーマット１Ａを使用するメッセージのために利用可能である、ＨＡＲＱ  ＡＣＫメッセージの形式をとってもよい。
【００２０】
図２は、ＳＰＳリソース解放に肯定応答するための方法２００の実施形態を例証する。ブロック２１０では、ＵＥ１１０は、アクセスデバイス１２０から、ＰＤＣＣＨを介して、ＤＣＩフォーマット１Ａとして、ＳＰＳリソース解放メッセージを受信してもよい。メッセージは、メッセージが、アップリンクリソース解放、またはダウンリンクリソース解放、あるいは両方に関するかどうかを示す、インジケータを含む。ブロック２２０では、ＵＥ１１０は、メッセージの受信に肯定応答する肯定応答をアクセスデバイス１２０に伝送する。
【００２１】
代替実施形態では、ＵＥは、ＰＤＣＣＨペイロードのために得られたＣＲＣパリティビットが、半永続スケジューリングＣ−ＲＮＴＩによってスクランブルされている場合のみ、半永続スケジューリング割当ＰＤＣＣＨを認証し、新しいデータインジケータフィールドは、有効化された転送ブロックのためのＤＣＩフォーマット２および２Ａの場合、「０」に設定される。認証は、それぞれの使用されるＤＣＩフォーマットのための全フィールドが、図３の表１または表２に従って設定される場合に達成される。認証が達成される場合、ＵＥは、それに応じて、有効な半永続アクティベーションまたは解放として、受信したＤＣＩ情報を見なす。認証が達成されない場合、受信したＤＣＩフォーマットは、ＵＥによって、非整合ＣＲＣとともに受信されたものとして見なされる。ＤＣＩフォーマットが、半永続ダウンリンクスケジューリングアクティベーションを示す場合、ＰＵＣＣＨのためのＴＰＣコマンドフィールドは、図３の表３に定義されるマッピングによって、より上の層によって構成される４つのＰＵＣＣＨリソース指標のうちの１つに対する指標として使用される。
【００２２】
上述のＵＥ１１０および他の構成要素は、上述の作用に関する命令を実行可能な処理構成要素を含む場合がある。図４は、本明細書に開示される、１つ以上の実施形態を実装するために好適な処理構成要素６１０を含む、システム６００の実施例を例証する。プロセッサ６１０（中央プロセッサユニットまたはＣＰＵと称され得る）に加えて、システム６００は、ネットワーク接続デバイス６２０と、ランダムアクセスメモリ（ＲＡＭ）６３０と、読取専用メモリ（ＲＯＭ）６４０と、二次記憶装置６５０と、入力／出力（Ｉ／Ｏ）デバイス６６０と、を含む場合がある。これらの構成要素は、バス６７０を経由して、相互に通信する場合がある。ある場合には、これらの構成要素のうちのいくつかは、存在しなくてもよく、あるいは相互または図示されない他の構成要素と、種々の組み合わせにおいて、組み合わせられてもよいこれらの構成要素は、単一の物理エンティティ内、または２つ以上の物理エンティティ内に位置する場合がある。プロセッサ６１０によって行われる本明細書に説明される任意の作用は、プロセッサ６１０単独によって、またはＤＳＰ４０２等の図中に示される、あるいは示されない１つ以上の構成要素と協働して、プロセッサ６１０によって行われる場合がある。
【００２３】
プロセッサ６１０は、それがネットワーク接続デバイス６２０、ＲＡＭ６３０、ＲＯＭ６４０、または二次記憶装置６５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのＣＰＵ６１０のみが示されているが、複数のプロセッサが存在してもよい。したがって、命令が、プロセッサによって実行されているように述べられ得るが、命令は、同時に、順次、あるいは別様に１つまたは複数のプロセッサによって実行されてもよい。プロセッサ６１０は、１つ以上のＣＰＵチップとして実装されてもよい。
【００２４】
ネットワーク接続デバイス６２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の公知のデバイスの形態を成してもよい。これらのネットワーク接続デバイス６２０によって、プロセッサ６１０は、情報を受信する場合があるか、またはプロセッサ６１０が情報を出力する場合がある、インターネット、あるいは１つ以上の電気無線通信ネットワークまたは他のネットワークと、プロセッサ６１０が通信可能となってもよい。また、ネットワーク接続デバイス６２０は、データを無線で伝送および／または受信可能な１つ以上の送受信機構成要素６２５を含む場合がある。
【００２５】
ＲＡＭ６３０は、揮発性データ、および可能性として、プロセッサ６１０によって実行される命令を格納するために使用される場合がある。ＲＯＭ６４０は、典型的には、二次記憶装置６５０のメモリ容量より小さいメモリ容量を有する、不揮発性メモリデバイスである。ＲＯＭ６４０は、命令、および可能性として、命令の実行の際に読み取られるデータを格納するために使用される場合がある。ＲＡＭ６３０およびＲＯＭ６４０へのアクセスは、典型的には、二次記憶装置６５０より高速である。二次記憶装置６５０は、典型的には、１つ以上のディスクドライブまたはテープドライブから成り、ＲＡＭ６３０が全ての作業用データを保持するのに十分大きくない場合、データの不揮発性保存用に、またはオーバーフローデータ記憶デバイスとして使用される場合がある。二次記憶装置６５０は、プログラムが実行のために選択されると、ＲＡＭ６３０へロードされる、プログラムを記憶するために使用されてもよい。
【００２６】
Ｉ／Ｏデバイス６６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープ読取機、プリンタ、ビデオモニタ他の公知の入出力デバイスを含んでもよい。また、送受信機６２５は、ネットワーク接続デバイス６２０の構成要素である代わりに、またはそれに加えて、Ｉ／Ｏデバイス６６０の構成要素であると見なされる場合がある。
【００２７】
以下は、あらゆる目的のために、参照することによって、本明細書に組み込まれる。３ＧＰＰ  ＴＳ  ３６．２１２、３ＧＰＰ  ＴＳ  ３６．２１３、および３ＧＰＰ  ＴＳ  ３６．３２１。
【００２８】
ある実施形態では、ＳＰＳリソース解放に肯定応答するための方法が、提供される。方法は、物理的ダウンリンク制御チャネルを介して、ダウンリンク制御情報（ＤＣＩ）フォーマット１Ａとして、ＳＰＳリソース解放信号を受信するステップを含む。信号は、信号が、アップリンクリソース解放およびダウンリンクリソース解放のうちの少なくとも１つに関することを示す、インジケータを含む。さらに、方法は、肯定応答を送信し、リソースの解放を確認するステップを含む。
【００２９】
別の実施形態では、ＵＥが、提供される。ＵＥは、物理的ダウンリンク制御チャネルを介して、ダウンリンク制御情報（ＤＣＩ）フォーマット１Ａとして、ＳＰＳリソース解放信号を受信するように構成される、プロセッサを含む。信号は、信号が、アップリンクリソース解放およびダウンリンクリソース解放のうちの少なくとも１つに関することを示す、インジケータを含む。
【００３０】
別の実施形態では、アクセスデバイスが、提供される。アクセスデバイスは、物理的ダウンリンク制御チャネルを介して、ダウンリンク制御情報（ＤＣＩ）フォーマット１Ａとして、アップリンクＳＰＳリソース解放メッセージを伝送するように構成される、プロセッサを含む。
【００３１】
本開示において複数の実施形態を提供してきたが、開示されたシステムおよび方法は、本発明の精神または範囲から逸脱することなく、多数の他の特有の形態で具現化されてもよいことを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【００３２】
また、離散または別個のものとして種々の実施形態の中で説明および例証される技術、システム、サブシステム、および方法は、本開示の範囲から逸脱することなく、他のシステム、モジュール、技術、または方法と組み合わせても、あるいは一体化してもよい。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信してもよい。変更、置換、および改変の他の実施例は、当業者により解明可能であり、本明細書で開示される精神および範囲から逸脱することなく行うことが可能である。
【図１】
0005281696.tif 000002
【図２】
0005281696.tif 000003
【図３】
0005281696.tif 000004
【図４】
0005281696.tif 000005